(57)【要約】  【課題】加湿装置を暖房機器と共に使用する場合、ユーザーの体感温度に合わせた暖房運転の室温制御を自動的に行う。  【解決手段】リモコンに、暖房機器の設定温度の指示、又は加湿装置の設定湿度の指示を受け付け、各機器へ指示信号を送信する制御手段１５と、指示された設定温度を記憶する記憶部１３とを設ける。そして、暖房機器の設定温度と加湿装置の設定湿度とに対応して規定され、設定温度と制御すべき室温の目標温度との差である目標温度偏差からなる目標温度偏差テーブルを予め記憶部１３に記憶する。そして、制御手段１５は、設定湿度の指示を受け付けた時、同設定湿度と記憶部１３に記憶している設定温度とに基づいて目標温度偏差テーブルから目標温度偏差を抽出し、同目標温度偏差と記憶部１３に記憶している設定温度とから目標温度を算出し、同目標温度を設定温度の制御信号として暖房機器へ送信する。【選択図】図３
2012112584.tif 000002
【特許請求の範囲】
【請求項１】
受信した設定温度に関する指示信号に従って運転を行う暖房機器と、受信した設定湿度に関する指示信号に従って運転を行う加湿装置と、ユーザーによる運転指示を受け付けて同運転指示と対応する指示信号を前記暖房機器と前記加湿装置との両方の機器に送信可能なリモコンとを同一の室内に設置した空気調和システムであって、
前記空気調和システムは、記憶部と前記室内の室温を制御する制御手段とを備えており、前記暖房機器の設定温度と前記加湿装置の設定湿度とに対応して規定され、湿度を考慮して体感的に前記設定温度となる室温の目標温度と前記設定温度との差である目標温度偏差からなる目標温度偏差テーブルが予め前記記憶部に記憶されており、
前記制御手段は、前記設定温度である指示設定温度、または、前記設定湿度である指示設定湿度を前記運転指示によって指示された場合、前記指示設定温度や前記指示設定湿度を前記記憶部に記憶し、
前記リモコンによって前記設定湿度の運転指示を受け付けた時、
前記指示設定湿度と前記指示設定温度とに基づいて前記目標温度偏差テーブルから前記目標温度偏差を抽出し、同目標温度偏差と前記指示設定温度とから目標温度を算出し、同目標温度が前記室内の温度となるように空調運転することを特徴とする空気調和システム。
【請求項２】
受信した設定温度に関する指示信号に従って運転を行う暖房機器と、受信した設定湿度に関する指示信号に従って運転を行う加湿装置とが同一の室内に設置された空気調和システムに備えられ、ユーザーによる運転指示を受け付けて同運転指示と対応する指示信号を前記暖房機器と前記加湿装置との両方の機器に送信可能なリモコンであって、
前記リモコンは、記憶部と同リモコンを制御する制御手段とを備えており、前記暖房機器の設定温度と前記加湿装置の設定湿度とに対応して規定され、湿度を考慮して体感的に前記設定温度となる室温の目標温度と前記設定温度との差である目標温度偏差からなる目標温度偏差テーブルが予め前記記憶部に記憶されており、
前記制御手段は、前記設定温度である指示設定温度、または、前記設定湿度である指示設定湿度を前記運転指示によって指示された場合、それぞれを前記記憶部に記憶し、
前記設定湿度の運転指示を受け付けた時、
前記指示設定湿度と前記指示設定温度とに基づいて前記目標温度偏差テーブルから前記目標温度偏差を抽出し、同目標温度偏差と前記指示設定温度とから目標温度を算出し、同目標温度を前記暖房機器の設定温度の指示信号として前記暖房機器へ送信することを特徴とする空気調和システムのリモコン。
【請求項３】
受信した設定湿度に関する指示信号に従って運転を行う加湿装置と、ユーザーによる運転指示を受け付けて同運転指示と対応する前記指示信号を前記加湿装置を含む複数の機器に送信可能なリモコンとを同一の室内に備えた空気調和システム内に設置され、受信した前記指示信号に従って運転を行う暖房機器であって、
前記暖房機器は、記憶部と同暖房機器を制御する制御手段とを備えており、前記暖房機器の設定温度と前記加湿装置の設定湿度とに対応して規定され、湿度を考慮して体感的に前記設定温度となる室温の目標温度と前記設定温度との差である目標温度偏差からなる目標温度偏差テーブルが予め前記記憶部に記憶されており、
前記制御手段は、前記設定温度である指示設定温度、または、前記設定湿度である指示設定湿度を前記運転指示によって指示された場合、前記指示設定温度や前記指示設定湿度を前記記憶部に記憶し、
設定湿度に関する前記運転指示を受け付けた時、
前記指示設定湿度と前記指示設定温度とに基づいて前記目標温度偏差テーブルから前記目標温度偏差を抽出し、同目標温度偏差と前記指示設定温度とから目標温度を算出し、同目標温度が前記室内の温度となるように空調運転することを特徴とする暖房機器。
【発明の詳細な説明】
【技術分野】
【０００１】
本発明は、空気調和システムに係わり、より詳細には、加湿装置の湿度設定に基づいて暖房機器を連携運転する構成に関する。
【背景技術】
【０００２】
冬季においては暖房機器としてのエアコンと加湿装置とが同一の室内に設置されて同時に運転される場合がある。エアコンは自身に備えている室温センセで検出した室温がユーザーによって指示された設定温度になるように暖房運転する。一方、加湿装置は自身に備えている湿度センサで検出した値に基づいて室内が所定の湿度となるように加湿量を調整している。
【０００３】
ところで、エアコンと加湿装置とを連携運転させるものとして特許文献１の例が開示されている。この文献には、湿度センサを備えたエアコン（暖房機器）と、加湿装置と、これらを連携運転させると共に湿度センサを備えたリモコンとで構成されたシステムが記載されている。このリモコンは、リモコンに備えた湿度センサでリモコン周辺の湿度を検出し、検出した湿度の値に対応して赤外線送信素子から、室内機と加湿装置との両方に対して湿度値と対応する赤外線信号を送出している。そして室内機は、リモコンから送信された湿度値と室内機で検出した湿度値とが乖離している場合、室内機の風向板を回動させて室内の湿度を均一にする機能が備えられている。
【０００４】
このように加湿装置は冬季に暖房機器と併用して運転される場合が多く、暖房による湿度の低下を補うようになっている。この場合、人間が体感する湿度と温度とは密接な関係があり、温度が一定の時に空気の湿度が加湿装置などにより上昇した場合に体感的に暖かく感じる。逆に温度が一定の時に湿度が低下した場合は寒く感じる。例えばエアコンを暖房運転で使用しており、室温が２３℃で加湿装置を用いて湿度が４０％程度に制御されている時、加湿装置の湿度設定により６０％以上まで湿度を上昇させると体感的には２６℃程度に感じる場合があり、ユーザーはこの状態では逆に暑すぎると感じてエアコンの設定温度を下げる場合があった。
【０００５】
しかしながら、この時、加湿装置の湿度設定の変更操作に連携してエアコンの暖房温度をその都度調整することはユーザーにとって煩わしい作業であった。
【先行技術文献】
【特許文献】
【０００６】
【特許文献１】特開２００２−８９９３７号公報（第２−３頁、図１）
【発明の概要】
【発明が解決しようとする課題】
【０００７】
本発明は以上述べた問題点を解決し、加湿装置を暖房機器と共に使用する場合、ユーザーの体感温度に合わせた暖房運転の室温制御を自動的に行うことを目的とする。
【課題を解決するための手段】
【０００８】
本発明は上述の課題を解決するため、請求項１に係わる発明は、受信した設定温度に関する指示信号に従って運転を行う暖房機器と、受信した設定湿度に関する指示信号に従って運転を行う加湿装置と、ユーザーによる運転指示を受け付けて同運転指示と対応する指示信号を前記暖房機器と前記加湿装置との両方の機器に送信可能なリモコンとを同一の室内に設置した空気調和システムであって、
前記空気調和システムは、記憶部と前記室内の室温を制御する制御手段とを備えており、前記暖房機器の設定温度と前記加湿装置の設定湿度とに対応して規定され、湿度を考慮して体感的に前記設定温度となる室温の目標温度と前記設定温度との差である目標温度偏差からなる目標温度偏差テーブルが予め前記記憶部に記憶されており、
前記制御手段は、前記設定温度である指示設定温度、または、前記設定湿度である指示設定湿度を前記運転指示によって指示された場合、前記指示設定温度や前記指示設定湿度を前記記憶部に記憶し、
前記リモコンによって前記設定湿度の運転指示を受け付けた時、
前記指示設定湿度と前記指示設定温度とに基づいて前記目標温度偏差テーブルから前記目標温度偏差を抽出し、同目標温度偏差と前記指示設定温度とから目標温度を算出し、同目標温度が前記室内の温度となるように空調運転することを特徴とする。
【０００９】
請求項２に係わる発明は、受信した設定温度に関する指示信号に従って運転を行う暖房機器と、受信した設定湿度に関する指示信号に従って運転を行う加湿装置とが同一の室内に設置された空気調和システムに備えられ、ユーザーによる運転指示を受け付けて同運転指示と対応する指示信号を前記暖房機器と前記加湿装置との両方の機器に送信可能なリモコンであって、
前記リモコンは、記憶部と同リモコンを制御する制御手段とを備えており、前記暖房機器の設定温度と前記加湿装置の設定湿度とに対応して規定され、湿度を考慮して体感的に前記設定温度となる室温の目標温度と前記設定温度との差である目標温度偏差からなる目標温度偏差テーブルが予め前記記憶部に記憶されており、
前記制御手段は、前記設定温度である指示設定温度、または、前記設定湿度である指示設定湿度を前記運転指示によって指示された場合、それぞれを前記記憶部に記憶し、
前記設定湿度の運転指示を受け付けた時、
前記指示設定湿度と前記指示設定温度とに基づいて前記目標温度偏差テーブルから前記目標温度偏差を抽出し、同目標温度偏差と前記指示設定温度とから目標温度を算出し、同目標温度を前記暖房機器の設定温度の指示信号として前記暖房機器へ送信することを特徴とする。
【００１０】
請求項３に係わる発明は、受信した設定湿度に関する指示信号に従って運転を行う加湿装置と、ユーザーによる運転指示を受け付けて同運転指示と対応する前記指示信号を前記加湿装置を含む複数の機器に送信可能なリモコンとを同一の室内に備えた空気調和システム内に設置され、受信した前記指示信号に従って運転を行う暖房機器であって、
前記暖房機器は、記憶部と同暖房機器を制御する制御手段とを備えており、前記暖房機器の設定温度と前記加湿装置の設定湿度とに対応して規定され、湿度を考慮して体感的に前記設定温度となる室温の目標温度と前記設定温度との差である目標温度偏差からなる目標温度偏差テーブルが予め前記記憶部に記憶されており、
前記制御手段は、前記設定温度である指示設定温度、または、前記設定湿度である指示設定湿度を前記運転指示によって指示された場合、前記指示設定温度や前記指示設定湿度を前記記憶部に記憶し、
設定湿度に関する前記運転指示を受け付けた時、
前記指示設定湿度と前記指示設定温度とに基づいて前記目標温度偏差テーブルから前記目標温度偏差を抽出し、同目標温度偏差と前記指示設定温度とから目標温度を算出し、同目標温度が前記室内の温度となるように空調運転することを特徴とする。
【発明の効果】
【００１１】
以上の手段を用いることにより、本発明による空気調和システムやリモコンや暖房機器によれば、ユーザーが希望する湿度に対応して自動的に暖房機器の設定温度を変更するため、ユーザーの快適性を向上させることができる。また、加湿装置の設定湿度変更操作のみを行うことで自動的に暖房機器の設定温度が変更されるため、ユーザーの操作性を向上させることができる。
【図面の簡単な説明】
【００１２】
【図１】本発明によるリモコンの使用例を示す説明図である。
【図２】本発明によるリモコンの外観を示す正面図である。
【図３】本発明によるリモコンのブロック図である。
【図４】本発明によるリモコンから送信されるデータを示す説明図である。
【図５】本発明によるエアコンの室温制御を説明する説明図である。
【図６】本発明によるエアコンの室温制御を行う時に参照される目標温度偏差テーブルを説明する説明図である。
【図７】本発明による実施例１のリモコンの制御を示すフローチャートである。
【図８】本発明による実施例２のエアコンのブロック図である。
【図９】本発明による実施例２のリモコンから送信されるデータを示す説明図である。
【図１０】本発明による実施例２のリモコンと室内機との制御を示すフローチャートである。
【発明を実施するための形態】
【００１３】
以下、本発明の実施の形態を、添付図面に基づいた実施例として詳細に説明する。なお、この実施例では暖房機器としてエアコンを用いた例を記載しているが、リモコンが使用できる暖房機器であれば種類は問わない。
【実施例１】
【００１４】
図１は本発明による無線リモコン１０を使用する場合の説明図である。図１において、加湿装置１００と、エアコン８０（室内機２０のみ図示し、室外機は図示を省略）と、このエアコン８０に電波で指示を与えると共に、加湿装置１００に対して赤外線方式で指示を与える無線リモコン１０とが、同じ室内に配置されている。
【００１５】
室内機２０は吸込グリル８７を備えた前面パネル８１と、吹出口８３に配置された上下風向板８４と、この上下風向板８４の右側に配置された電波受信部２１とを備えている。室内機２０は無線リモコン１０から送信される電波信号を電波受信部２１で受信し、この電波信号に対応する空調運転を実施する。また、無線リモコン１０には加湿装置１００へ運転指示を送信する赤外線送信部と、室内機２０へ運転指示を送信する電波送信部とを備えている。
【００１６】
一方、加湿装置１００は無線リモコン１０からの赤外線信号を受信するリモコン受信部６８を備えている。また、無線リモコン１０は複数のキーを備えたキー入力部１２と、このキー入力部１２で指示された内容を表示する表示部１１とを備えており、キー入力部１２の操作により、エアコン８０と加湿装置１００とを両方制御することができる。
【００１７】
図２は本発明による無線リモコン１０の外観を示す正面図である。表示部１１内には設定湿度、又は設定温度を表示する２桁の数字表示エリア１１ａが配置され、この右側には表示された数値が設定温度であることを示す『℃』マークと、表示された数値が設定湿度であることを示す『％』マークがそれぞれ配置されており、無線リモコン１０で加湿装置１００を操作する場合は『％』マークが、エアコン８０を操作する場合は『℃』マークが、それぞれ択一的に表示される。また、これに同期して数字表示エリア１１ａの右下に配置された『エアコン』マークと『加湿装置』マークのいずれか一方が選択表示される。
【００１８】
また、表示部１１内の数字表示エリア１１ａの下には『暖房』、『冷房』、『除湿』のマークがそれぞれ配置されており、エアコン８０の運転モードに対応していずれか１つが選択的に表示される。
【００１９】
キー入力部１２は温度又は湿度を設定する三角形の『＋』キーと『−』キーと、加湿装置１００又はエアコン８０の電源投入／電源切断を指示する『電源』キーと、加湿装置１００又はエアコン８０のいずれかを選択する『機器選択』キーと、エアコン８０が選択されている時に暖房、冷房、除湿の各運転モードを指定する『運転モード』キーとが備えられている。『機器選択』キーと『運転モード』キーとは、押下する毎に機器の切り替えや運転モードの切り替えが順次行われる。
【００２０】
また、加湿装置１００が選択されている時、『＋』キーや『−』キーを押下することにより、設定湿度を選択して指示することができる。初期状態は中湿度であるが、この状態で『＋』キーを押下すると高湿度が、また、中湿度の状態から『−』キーを押下すると低湿度が、それぞれ選択される。また、選択と同時に数字表示エリア１１ａに選択された設置湿度と対応するマークが表示される。このマークは低湿度『  Ｌ』、中湿度『  Ｃ』、高湿度『  Ｈ』となっている。
なお、キー入力部１２や表示部１１には他のキーや他の表示内容が含まれているが、本発明と関連がないため図示と説明とを省略する。
【００２１】
図３は本発明によるリモコンのブロック図である。
無線リモコン１０は、ユーザーによって操作されたキーの状態を入力するキー入力部１２と、同キー入力部１２で操作された内容に従って、室内機２０へ電波信号を送信する電波送信部１６と加湿装置１００へ赤外線信号を送信する赤外線送信部１４と、いろいろな情報を液晶表示パネルに表示する表示部１１と、キー入力部１２で指示された設定温度や設定湿度などを記憶する記憶部１３と、これらを制御する制御手段であるリモコン制御部１５とを備えている。
【００２２】
図２で説明したように、キー入力部１２の『機器選択』キーの押下により、エアコン８０が指定されていれば以降に操作される各キーの操作による指示はエアコン８０用の操作であるとリモコン制御部１５が認識し、この指示は表示部１１で表示されると共に、電波送信部１６を介して電波信号として室内機２０へ送信される。
【００２３】
一方、キー入力部１２の『機器選択』キーの押下により、加湿装置１００が指定されていれば以降に操作される各キーの操作による指示は加湿装置１００用の操作であるとリモコン制御部１５が認識し、この指示は表示部１１で表示されると共に、赤外線送信部１４を介して赤外線信号として加湿装置１００へ送信される。
なお、キー入力部１２で指定された『機器選択』や『運転モード』、設定された湿度（指示設定湿度）や設定温度（指示設定温度）は、キー入力操作が行われる毎に記憶部１３へそれぞれ記憶されるようになっている。
【００２４】
図４は無線リモコン１０から送信されるデータのフォーマットの一例を示しており、図４（１）は電波送信部１６から送信されるエアコン用送信データの内容を、図４（２）は赤外線送信部１４から送信される加湿装置用の送信データの内容をそれぞれ示している。
【００２５】
図４（１）のエアコン８０用送信データは、制御する機器のメーカーを特定するメーカー識別コード、同じメーカー内の機器を特定する機器識別コード、機器に対する運転を指示する運転指示コード、そして運転指示コードに対応する運転パラメータが順次配置されている。なお、運転指示コードが『暖房運転』である場合、運転パラメータとして、設定温度、設定風量、設定風向・・・などが付加される。
【００２６】
一方、図４（２）の加湿装置１００用送信データ内容は、メーカー識別コード、機器識別コード、運転指示コード、運転パラメータと、これらの並びは図４（１）と同じである。ただし、エアコン用のフォーマットで機器識別コードの内容は『エアコン』であり、加湿装置１００用のフォーマットで機器識別コードの内容は『加湿装置』となっており、これらの２つのフォーマットを識別することができる。なお、各フォーマットにて運転指示コードは機器識別コードで示される機器に対応したコードとなっている。また、運転パラメータも同様である。
【００２７】
図４（１）の例ではメーカーがＦＧＬのエアコンに対して、暖房運転で設定温度：２０℃、風量：中、風向：自動で運転する指示データを示している。一方、図４（２）の例ではメーカーがＦＧＬの加湿装置に対して、加湿運転で手動による湿度設定により設定湿度：中湿度で運転する指示データを示している。
【００２８】
このように、それぞれの機器に対して個々の指示データを送信して制御することは背景技術で説明した通りである。本実施例では加湿装置と暖房機器（この実施例ではエアコンの暖房運転）とを併用して運転する場合、加湿装置に対して送信した設定湿度に対応して、暖房運転における室温の設定温度を変更する目標温度値を暖房機器に送信することを特徴にしている。この場合、加湿装置で実現される湿度においてユーザーが体感的に快適と感じるように、加湿装置に湿度の設定値が送信された時に、これと対応する暖房機器の設定温度値（目標温度値）が送信される。
【００２９】
図６は本発明による空気調和機の室温制御を行う時に参照される目標温度偏差テーブルを説明する説明図である。前述したように加湿装置１００に指示された湿度に対してユーザーがエアコン８０に設定している設定温度値をどれだけ修正して新しい設定温度（目標温度値）とするのか、その設定温度と目標温度との偏差をテーブル化したものである。この目標温度偏差テーブルは記憶部１３に予め記憶されている。なお、本発明の説明では、ユーザーの操作により指定された室温の目標を『設定温度』、また、無線リモコン１０の判断により、自動的に修正された室温の目標を『目標温度』と呼称している。  
【００３０】
図６の目標温度偏差テーブルはユーザーが設定する設定湿度の範囲を示す『設定湿度ゾーン』が縦方向に所定の湿度範囲で区分されており、低湿度（４０％未満）、中湿度（４０〜６０％未満）、高湿度（６０％以上）の３つの設定湿度範囲となっている。一方、横方向にはユーザーがエアコン８０に設定する設定温度が区分されており、１８℃未満、１８〜２２℃未満、２２℃以上の３つの設定温度範囲となっている。テーブル内部にはプラス、マイナスを付加した数値が格納されており、ユーザーが設定したエアコン８０の設定温度を基準とした目標温度との差の温度（目標温度偏差）を表している。
【００３１】
なお、設定湿度の値が大きくなるに従って目標温度偏差の値は大きくなるように設定されている。これは、人間の体感温度が湿度が高くなるほど暑いと感じるため、これを打ち消すように目標温度を設定するからである。
一例として、エアコン８０の設定温度が２３℃であり、加湿装置１００の設置湿度ゾーンが低湿度（例えば４０％未満）である場合を説明する。この場合、前記条件で目標温度偏差テーブルを参照すると目標温度偏差値は−１℃となる。従ってユーザーが設定温度を２３℃としていても、実際にエアコン８０が制御する室温の目標は設定温度：２３℃から１℃だけ低い２２℃となる。これが目標温度であり、無線リモコン１０から室内機２０に目標温度が送信されて空調制御が行われる。ただし、これは加湿装置１００が運転状態であることが前提であり、加湿装置１００が停止状態の場合、エアコン８０は設定温度を用いて空調運転が行われる。
【００３２】
図５は本発明による空気調和機の室温制御を説明する説明図であり、左側の縦軸が室温を、右側の縦軸が湿度を示している。なお、横軸は時間である。図５ではユーザーがエアコン８０に暖房運転で設定温度：２３℃を指示している場合に、加湿装置１００に設定される設定湿度の値に対応してエアコン８０の室温制御が行われる様子を示したものである。
【００３３】
図５において横の点線はユーザーが設定した設定温度（２３℃）を示しており、図５上方の太線はエアコン８０が実際に空調制御する室温の目標温度を、図５下方の太線はユーザーが設定した設定湿度をそれぞれ示している。なお、点線の曲線は実際の室温や実際の湿度を示している。
【００３４】
図５に示すようにエアコン８０の暖房運転と加湿装置１００とを併用して運転を開始してから一時間後までの間、リモコン制御部１５は、設定湿度が低湿度で設定温度が２３℃である場合、図６の具体例で説明したように、目標温度偏差テーブルから温度偏差：−１℃を抽出し、設定温度：２３℃に温度偏差：−１を加算して目標温度：２２℃を図４（１）で説明したフォーマットで室内機２０に送信する。なお、このフォーマットの『設定温度』の項目に目標温度：２２℃の値を格納して送信する。ユーザーが設定した設定温度は無線リモコン１０内の記憶部１３に記憶されており、表示部１１にも設定温度が２３℃で表示されているが、室内機２０に対しては一時的に設定温度を変更する指示を送信する。
【００３５】
このように、湿度が低湿度であっても設定温度が比較的高いときは、ユーザーが期待している室温（設定温度）よりも１℃だけ低い温度で室温を制御してもユーザーは体感的に温度が低いと感じにくく、快適性を損なうことない。また、指定された温度（設定温度）よりも低い温度で制御できるため省エネの効果を得ることができる。
【００３６】
このような状態で運転開始から１時間後にユーザーが無線リモコン１０を用いて加湿装置１００に対して設定湿度の変更（低湿度から高湿度へ）を行った場合、リモコン制御部１５は、目標温度偏差テーブルから新しい条件、つまり、設定湿度ゾーン：高湿度で設定温度２３℃と対応する目標温度偏差の値を抽出する。具体的には目標温度偏差：−３℃であるため、リモコン制御部１５は、設定温度：２３℃に目標温度偏差：−３を加算して目標温度：２０℃を算出する。そして、前述したように室内機２０に目標温度：２０℃での暖房運転を指示する。
【００３７】
一方、このような状態で運転開始から三時間後にユーザーが無線リモコン１０を用いて加湿装置１００に対して設定湿度の変更（高湿度から中湿度へ）を行った場合、リモコン制御部１５は、目標温度偏差テーブルから新しい条件、つまり、設定湿度ゾーン：中湿度で設定温度２３℃と対応する目標温度偏差の値を抽出する。具体的には目標温度偏差：−２℃であるため、リモコン制御部１５は、設定湿度：２３℃に目標温度偏差：−２℃を加算して目標温度：２１℃を算出する。そして、前述したように室内機２０に目標温度：２１℃での暖房運転を指示する。
【００３８】
一方、例えば暖房運転での設定温度が１８℃未満の場合に、ユーザーが加湿装置１００の設定湿度を低湿度に設定したとする。このように比較的低温で極端に湿度を低下させた場合、ユーザーは体感的に寒いと感じるため、設定温度よりも高い目標温度で室温を制御するようにしてもよい。具体的には図６の目標温度偏差テーブルにおいて上記のような条件では、目標温度偏差を＋１℃に規定しておくことにより、ユーザーの暖房設定温度よりも１℃だけ高い目標温度でエアコン８０を運転させるようにしてもよい。
このためユーザーは湿度を低下させても快適性を保つことができる。なお、本発明はユーザーの快適性を目的としているが、目的を省エネに限定する場合は、目標温度偏差テーブル内の値をゼロよりも小さいマイナスの値にするとよい。
【００３９】
以上説明したように、ユーザーが希望する湿度に対応して自動的にエアコン８０の設定温度を変更するため、ユーザーの快適性を向上させることができる。また、加湿装置１００の設定湿度変更操作のみを行うことで自動的にエアコン８０の設定温度が変更されるため、ユーザーの操作性を向上させることができる。
【００４０】
また、目標温度偏差テーブルでは同じ設定温度であるとき、設定湿度が高くなるほどユーザーの体感温度が高くなるため、これを相殺するように目標温度偏差が規定されている。このため、設定温度や設定湿度に係わらずユーザーが、快適と感じる体感温度で暖房運転を行うことができる。なお、設定湿度と設定温度とが共に低い場合は、ユーザーの体感温度が低下するため、目標温度偏差をプラスの値にすることで快適性を向上させることができる。
【００４１】
さらに、無線リモコン１０にエアコン８０と加湿装置１００とに両方指示する機能を備えているため、連携機能を無線リモコン１０だけで容易に実現できる。また、室内機２０は電波による指示を行うため、無線リモコン１０を加湿装置１００に向けて赤外線を用いて指示する設定湿度の操作を行っても、目標温度の指示は無線リモコン１０の操作方向に関係のない電波により確実に室内機２０に届けることができる。
【００４２】
次に、無線リモコン１０に関する動作を図７に示すリモコン制御部１５の処理を表すフローチャートを用いて説明する。図７に記載のＳＴはステップを表し、これに続く数字はステップ番号を、また、ＹはＹｅｓを、ＮはＮｏをそれぞれ表している。
【００４３】
図７においてリモコン制御部１５は、まず最初に初期値を設定する（ＳＴ１）。これは現在選択されている機器選択：エアコン８０、エアコン８０の運転モード：暖房、エアコン８０の設定温度：２０℃、加湿装置１００の設定湿度：中湿度である。これらの設定値は記憶部１３に予め記憶した値が用いられる。
【００４４】
次に記憶部１３に記憶されている『機器選択』の現在の状態データを参照して、加湿装置１００が選択されているか確認する（ＳＴ２）。加湿装置１００が選択されてなければ（ＳＴ２−Ｎ）、エアコン８０が選択されているため、次にエアコン８０の操作処理を行う（ＳＴ１１）。これはキー入力、つまり、キー入力部１２の設定温度キーや電源キー、運転モード切替キーや機器選択キーが押下された場合、それぞれのキーの受付処理と受け付けて処理した状態を記憶部１３に記憶すると共に表示部１１に表示し、さらに、キーの受付によって指示された運転指示データを図４（１）のフォーマットでエアコン８０へ送信すること示す。
【００４５】
次に記憶部１３に記憶されている『運転モード』の現在の状態データを参照して、暖房運転モードか確認する（ＳＴ１２）。暖房運転モードでなければ（ＳＴ１２−Ｎ）、ＳＴ２へジャンプする。暖房運転モードならば（ＳＴ１２−Ｙ）、次に設定温度変更操作があるか確認する（ＳＴ１３）。設定温度変更操作がない場合（ＳＴ１３−Ｎ）、ＳＴ２へジャンプする。
【００４６】
設定温度変更操作がある場合（ＳＴ１３−Ｙ）、変更された設定温度を記憶部１３に記憶し（ＳＴ１４）、暖房運転モードであることも同様に記憶する（ＳＴ１５）。そして、ＳＴ２へジャンプする。
【００４７】
一方、加湿装置１００の選択であれば（ＳＴ２−Ｙ）、次に加湿装置１００の操作処理を行う（ＳＴ３）。これはキー入力、つまり、キー入力部１２の設定湿度キーや電源キー、機器選択キーが押下された場合、それぞれのキーの受付処理と受け付けて処理した状態を記憶部１３に記憶すると共に表示部１１に表示し、さらに、キーの受付によって指示された運転指示データを図４（２）のフォーマットで加湿装置１００へ送信することを示す。
【００４８】
次に設定湿度変更操作があるか確認する（ＳＴ４）。設定湿度変更操作がなければ（ＳＴ４−Ｎ）、ＳＴ２へジャンプする。設定湿度変更操作があれば（ＳＴ４−Ｙ）、次にエアコン８０は暖房運転モードで運転中か確認する（ＳＴ５）。これは記憶部１３に記憶されているエアコン８０に対する操作指示の状態で判断する。エアコン８０が暖房運転モードで運転中でない場合（ＳＴ５−Ｎ）、ＳＴ２へジャンプする。エアコン８０が暖房運転モードで運転中の場合（ＳＴ５−Ｙ）、変更された設定湿度を記憶部１３に記憶する（ＳＴ６）。
【００４９】
そして、記憶部１３に記憶している現在の加湿装置１００の設定湿度（指示設定湿度）と現在のエアコン８０の設定温度（指示設定温度）とを基にして、目標温度偏差テーブルからから目標温度偏差の値を抽出し、この値と設定温度の値とを加算して目標温度を算出する（ＳＴ７）。そして算出した目標温度を設定温度として図４（１）のフォーマットでエアコン８０へ送信する（ＳＴ８）。そしてＳＴ２へジャンプする。
【実施例２】
【００５０】
実施例１では無線リモコン１０が目標温度を算出する構成を説明したが、この実施例２ではエアコン８０側で目標温度を算出する構成を説明する。このため、エアコン８０と加湿装置１００と無線リモコン１０とで構成される空気調和システムは同じであるが、無線リモコン１０とエアコン８０との動作（処理内容）が異なる。このため、実施例２ではこの異なる部分について説明する。従って実施例２で説明を省略する部分、例えば加湿装置１００の動作や無線リモコン１０の外観や操作方法は実施例１と同じである。
【００５１】
図８はエアコン８０の要部ブロックを示している。図８に示すようにエアコン８０は室内機２０と室外機３０とで構成されている。
室内機２０は、無線リモコン１０から送信される電波信号を受信する電波受信部２１と、室内の温度を検知する室温センサ２７と、室温センサ２７の検知信号を入力する室温センサ入力部２５と、室外機３０と通信を行う通信部２２と、送風ファンモータ２３と、上下風向板８４の角度調節を行うステッピングモータ２４と、各種情報を記憶する記憶部２８と、これらを制御する室内機制御部２６とを備えている。
なお、記憶部２８には、エアコン８０の運転モードや設定温度、図６で説明した目標温度偏差テーブルなどが記憶されている。
【００５２】
そして室内機２０は無線リモコン１０から送信される電波信号を受信し、この電波信号で指示された運転モードや設定温度を記憶部２８に記憶すると共に、これらに従って室温センサ２７で検出した室温が設定温度となるように室外機３０に指示を出して空調運転を行う。なお、この時に電波信号で指示される内容は、例えば図４（１）で示されるエアコン用送信データがある。
【００５３】
実施例２の無線リモコン１０は図１から図３と同じであるが、その機能が異なる。実施例１ではエアコン８０の運転モードと設定温度、加湿装置１００の設定湿度を記憶し、設定湿度の変化があった時のみ目標温度を算出し、エアコン８０に送信していた。実施例２では、エアコン８０と加湿装置１００に対するユーザーの指示を受け付けて、これらの機器にそれぞれ指示データを送信することは同じであるが、加湿装置１００への設定湿度を変更する操作が行われた場合、さらに、この設定湿度の情報をエアコン８０へ送信することが異なる。
【００５４】
この送信される設定湿度の情報（データ）の内容を図９に示す。メーカー識別コード、機器識別コード、運転指示コード、設定湿度の順にデータが構成されており、メーカー識別コード、機器識別コードは図４（１）エアコン用送信データで説明した通りである。運転指示コードの内容が『指示情報』となっている場合、設定湿度の内容を参照して、エアコン８０と加湿装置１００との連携運転を行うこと示している。
【００５５】
室内機２０の室内機制御部２６は、この図９で示す設定湿度を電波受信部２１を介して受信すると、現在の運転中のモードが暖房運転であれば、記憶部２８に記憶しているユーザーが設定した設定温度（指示設定温度）と、受信した設定湿度（指示設定湿度）と基づいて、記憶部２８に記憶している目標温度偏差テーブルから目標温度偏差を抽出し、この目標温度偏差と指示設定温度とを加算することで目標温度を算出する。そして、室内機２０は室温がこの目標温度となるように暖房運転を行う。
【００５６】
この結果、エアコン８０で加湿装置１００用のリモコン信号を受信し、ユーザーが希望する湿度に対応して自動的にエアコン８０の設定温度を変更するため、ユーザーの快適性を向上させることができる。また、加湿装置１００の設定湿度変更操作のみを行うことで自動的にエアコン８０の設定温度（目標温度）が変更されるため、ユーザーの操作性を向上させることができる。
【００５７】
次に、無線リモコン１０とエアコン８０とに関する動作を、図１０（１）に示すリモコン制御部１５の処理を表すフローチャートを、また、室内機２０に関する動作を図１０（２）に示す室内機制御部２６の処理を表すフローチャートを、それぞれ用いて説明する。図１０に記載のＳＴはステップを表し、これに続く数字はステップ番号を、また、ＹはＹｅｓを、ＮはＮｏをそれぞれ表している。
【００５８】
図１０（１）において無線リモコン１０の処理を説明する。
リモコン制御部１５は、まず最初に記憶部１３に記憶されている『機器選択』の現在の状態データを参照して、加湿装置１００が選択されているか確認する（ＳＴ２１）。加湿装置１００が選択されてなければ（ＳＴ２１−Ｎ）、エアコン８０が選択されているため、次にエアコン８０の操作処理を行う（ＳＴ２４）。これはキー入力、つまり、キー入力部１２の設定温度キーや電源キー、運転モード切替キーや機器選択キーが押下された場合、それぞれのキーの受付処理と受け付けて処理した状態を記憶部１３に記憶すると共に表示部１１に表示し、さらに、キーの受付によって指示された運転指示データを図４（１）のフォーマットでエアコン８０へ送信すること示す。そしてＳＴ２１へジャンプする。
【００５９】
一方、加湿装置１００の選択であれば（ＳＴ２１−Ｙ）、次に加湿装置１００の操作処理を行う（ＳＴ２２）。これはキー入力、つまり、キー入力部１２の設定湿度キーや電源キー、機器選択キーが押下された場合、それぞれのキーの受付処理と受け付けて処理した状態を記憶部１３に記憶すると共に表示部１１に表示し、さらに、キーの受付によって指示された運転指示データを図４（２）のフォーマットで加湿装置１００へ送信することを示す。
【００６０】
次に設定湿度変更操作があるか確認する（ＳＴ２３）。設定湿度変更操作がなければ（ＳＴ２３−Ｎ）、ＳＴ２１へジャンプする。設定湿度変更操作があれば（ＳＴ２３−Ｙ）、次にエアコン８０へ図９のフォーマットを用いて設定湿度の情報を送信する（ＳＴ２５）。そしてＳＴ２１へジャンプする。
【００６１】
図１０（２）において室内機２０の処理を説明する。
室内機制御部２６は、まず最初に無線リモコン１０から信号を受信したか確認する（ＳＴ３１）。無線リモコン１０から信号を受信していない場合（ＳＴ３１−Ｎ）、現在の運転を継続し（ＳＴ３６）、ＳＴ３１へジャンプする。なお、現在の状態が運転中でなく待機中であれば、待機中を維持する。
【００６２】
一方、無線リモコン１０から信号を受信した（ＳＴ３１−Ｙ）、受信した信号は設定湿度データ（図９に示すデータ）か確認する（ＳＴ３２）。受信した信号が設定湿度データでない場合（ＳＴ３２−Ｎ）、受信した信号の指示に従って運転開始や運転停止などの処理を行う（ＳＴ３７）。次に受信した信号の指示が運転モードと設定温度である場合は、これらを記憶部２８へ記憶する（ＳＴ３８）。そしてＳＴ３１へジャンプする。
【００６３】
一方、受信した信号が設定湿度データである場合（ＳＴ３２−Ｙ）、次にエアコン８０が暖房運転モードで運転中か確認する（ＳＴ３３）。これは記憶部２８に記憶されているエアコン８０に対する操作指示の状態で判断する。エアコン８０が暖房運転モードで運転中でない場合（ＳＴ３３−Ｎ）、ＳＴ３１へジャンプする。
【００６４】
エアコン８０が暖房運転モードで運転中である場合（ＳＴ３３−Ｙ）、記憶部２８に記憶している現在のエアコン８０の設定温度（指示設定温度）と、受信した設定湿度データ（指示設定湿度）とを基にして、記憶部２８に予め記憶している目標温度偏差テーブルからから目標温度偏差の値を抽出し、この値と指示設定温度の値とを加算して目標温度を算出する（ＳＴ３４）。そして算出した目標温度が室温になるように暖房運転を開始し（ＳＴ３５）、そしてＳＴ３１へジャンプする。
【００６５】
なお、実施例１及び実施例２ではエアコン８０を電波で、加湿装置１００を赤外線でそれぞれ制御するように記載しているが、これに限るものでなく、両方とも電波や赤外線、または、エアコン８０を赤外線、加湿装置１００を電波で、それぞれ制御するようにしてもよい。また、本発明の考え方を用いて除湿装置と冷房装置との連携運転を行うようにしてもよい。
【符号の説明】
【００６６】
１０  無線リモコン
１１  表示部
１１ａ  数字表示エリア
１２  キー入力部
１３  記憶部
１４  赤外線送信部
１５  リモコン制御部（制御手段）
１６  電波送信部
２０  室内機
２１  電波受信部
２２  通信部
２３  送風ファンモータ
２４  ステッピングモータ
２５  室温センサ入力部
２６  室内機制御部（制御手段）
２７  室温センサ
２８  記憶部
３０  室外機
６８  リモコン受信部
８０  エアコン
８１  前面パネル
８３  吹出口
８４  上下風向板
８７  吸込グリル
１００  加湿装置
【図１】
2012112584.tif 000003
【図２】
2012112584.tif 000004
【図３】
2012112584.tif 000005
【図４】
2012112584.tif 000006
【図５】
2012112584.tif 000007
【図６】
2012112584.tif 000008
【図７】
2012112584.tif 000009
【図８】
2012112584.tif 000010
【図９】
2012112584.tif 000011
【図１０】
2012112584.tif 000012